(57)【要約】【課題】  電池を含む複数の電子部品および駆動機構のうち、少なくとも複数の電子部品を電子部品群として交換ができる電動弁の提供。【解決手段】  給水配管に内装される弁体と、給水配管の外部にあって、弁体に連結された弁軸を介して弁体を給水配管内で開閉操作させる駆動機構部と、該駆動機構部を駆動させるための、電池を含む複数の電子部品を有した電子部品群とを備え、電子部品群は、駆動機構部の被駆動伝達部に駆動力を伝達するための駆動伝達部を備えるとともに、複数の電子部品のユニットとして構成され、被駆動伝達部と駆動伝達部とが着脱自在に構成された電動弁。【選択図】図９
2015127556.tif 000002
【特許請求の範囲】
【請求項１】
給水配管に内装される弁体と、給水配管の外部にあって、弁体に連結された弁軸を介して弁体を給水配管内で開閉操作させる駆動機構部と、該駆動機構部を駆動させるための、電池を含む複数の電子部品を有した電子部品群とを備え、
電子部品群は、駆動機構部の被駆動伝達部に駆動力を伝達するための駆動伝達部を備えるとともに、複数の電子部品のユニットとして構成され、被駆動伝達部と駆動伝達部とが着脱自在に構成されたことを特徴とする電動弁。
【請求項２】
駆動機構部は第一のケースに収納され、電子部品群は第一のケースとは別体の第二のケースに収納された請求項１記載の電動弁。
【請求項３】
第一のケースが給水配管側に配置され、第二のケースは、第一のケースの上面に配置された請求項２記載の電動弁。
【請求項４】
電子部品群の電子部品として、駆動伝達部である直流電動機と、直流電動機に電力を供給するための電池と、所定の震度以上の地震を検知する地震検知器と、地震検知器からの震度信号の入力により電池から直流電動機へ電力を供給するよう制御する機能を有する制御基板とを備えた請求項１ないし請求項３の何れか１項に記載の電動弁。
【発明の詳細な説明】
【技術分野】
【０００１】
本発明は、例えば、所定の震度を超える地震発生時に、各戸への給水を遮断する電動弁等、電動で開閉する電動弁に関する。
【背景技術】
【０００２】
この種の電動弁には、緊急遮断弁として、下記特許文献１に記載された技術がある。特許文献１の緊急遮断弁は、給水配管に内装される弁体と、弁体に連結された弁軸と、給水配管の外部にあって弁体を給水配管内で開閉させるアクチュエータとを備えている。アクチュエータは、弁体が開閉するよう弁軸を回動させる駆動機構（ギヤ機構）と、駆動機構を駆動させる電子部品とを備えている。電子部品は、弁軸に連結された直流電動機、直流電動機を駆動制御する制御回路基板、直流電動機を駆動させる電圧を蓄積する電池等を備えている。これら駆動機構および電子部品は閉じられた一つのケースに収納されている。
【０００３】
特許文献１の緊急遮断弁では、所定の震度を超える地震発生時には、電池に蓄えられている電力が、制御回路基板における制御回路の機能によって直流電動機に供給されて直流電動機が駆動し、直流電動機が駆動することで弁軸が回動して弁体が閉じられ、各戸への給水が遮断される。
【先行技術文献】
【特許文献】
【０００４】
【特許文献１】特開２００８−５７５６１号公報
【発明の概要】
【発明が解決しようとする課題】
【０００５】
特許文献１の緊急遮断弁において、電池は寿命の到来前に交換される。ところで、この種の緊急遮断弁において、少なくとも電池を含む複数の電子部品は、信頼性維持のために定期的に取替える要請がある。しかしながら特許文献１の緊急遮断弁は、電池の交換のみが行なわれるものであり、少なくとも電池を含む複数の電子部品を取替えるという要請に対応していない。そしてこのような課題は、緊急遮断弁に限らず、電池を備えた電動弁全般に共通の課題であった。
【０００６】
そこで本発明は、電池を含む複数の電子部品および駆動機構のうち、少なくとも複数の電子部品を電子部品群として交換ができる電動弁の提供を目的とする。
【課題を解決するための手段】
【０００７】
本発明の電動弁は、給水配管に内装される弁体と、給水配管の外部にあって、弁体に連結された弁軸を介して弁体を給水配管内で開閉操作させる駆動機構部と、該駆動機構部を駆動させるための、電池を含む複数の電子部品を有した電子部品群とを備え、電子部品群は、駆動機構部の被駆動伝達部に駆動力を伝達するための駆動伝達部を備えるとともに、複数の電子部品のユニットとして構成され、被駆動伝達部と駆動伝達部とが着脱自在に構成されたことを特徴としている。
【０００８】
上記構成のように、電子部品群は複数の電子部品のユニットとして構成され、駆動機構部の被駆動伝達部と電子部品群の駆動伝達部とが着脱自在であれば、被駆動伝達部と駆動伝達部とを外すことで、電池を含む電子部品群を駆動機構部から外し、別の新たな電子部品群の駆動伝達部を駆動機構部の被駆動伝達部に着けることで、電子部品群の交換をする。
【０００９】
本発明の電動弁では、駆動機構部は第一のケースに収納され、電子部品群は第一のケースとは別体の第二のケースに収納された構成を採用できる。
【００１０】
上記構成によれば、第一のケースに収納された駆動機構部の被駆動伝達部と、第二のケースに収納された電子部品群の駆動伝達部とを外すことで、電池を含む電子部品群を第二のケースごと駆動機構部から外し、別の新たな電子部品群の駆動伝達部を、駆動機構部の被駆動伝達部に着けることで、第二のケースごと電子部品群の交換をする。
【００１１】
本発明の電動弁では、第一のケースが給水配管側に配置され、第二のケースは、第一のケースの上面に配置された構成を採用できる。
【００１２】
上記のように、第二のケースが第一のケースの上面に配置されていれば、第二のケースを第一のケースから取り外す作業が容易である。
【００１３】
本発明の電動弁では、電子部品群の電子部品として、駆動伝達部である直流電動機と、直流電動機に電力を供給するための電池と、所定の震度以上の地震を検知する地震検知器と、地震検知器からの震度信号の入力により電池から直流電動機へ電力を供給するよう制御する機能を有する制御基板とを備えた構成を採用できる。
【００１４】
上記構成によれば、電子部品として、少なくとも直流電動機、電池、地震検知器、制御基板をまとめて交換できる。
【発明の効果】
【００１５】
本発明の電動弁によれば、電子部品群は複数の電子部品のユニットとして構成され、駆動機構部の被駆動伝達部と電子部品群の駆動伝達部とが着脱自在であるから、被駆動伝達部と駆動伝達部とを外すことで、電池を含む電子部品群を駆動機構部から外し、別の新たな電子部品群の駆動伝達部を駆動機構部の被駆動伝達部に着けることで、電子部品群の交換をすることができる。
【図面の簡単な説明】
【００１６】
【図１】本発明の一実施形態を表した給水配管構造の全体平面図である。
【図２】同給水配管構造の側面図である。
【図３】同弁体が開いた状態の電動弁の縦断面図である。
【図４】同弁体が閉じた状態の電動弁の縦断面図である。
【図５】同電動弁の駆動機構部を表した縦断面図である。
【図６】同駆動機構部を表した平面図である。
【図７】同図５と直交する方向での駆動機構部を表した縦断面図である。
【図８】同図７におけるＹ−Ｙ線断面矢視図である。
【図９】同弁箱に駆動機構部を装着し駆動機構部に電子部品群を装着した状態の縦断面図である。
【図１０】同給水配管構造を下流側から観た全体図である。
【図１１】同水密用カバーの取付状態を表した一部破断縦断面図である。
【図１２】同電子部品群を第二のケースに組付けた状態の縦断面図である。
【図１３】同弁箱内で弁体が開いた状態の横断面図である。
【図１４】同弁箱内で弁体が閉じた状態の横断面図である。
【発明を実施するための形態】
【００１７】
以下、本発明の電動弁の一実施形態を、図面を参照して説明する。本実施形態に係る電動弁は、所定の震度を超える地震発生時に、各戸への給水を遮断する緊急遮断弁である。図１および図２を参照して、電動弁１を備えた給水配管構造２を説明する。給水配管構造２は、メータボックス３と、メータボックス３内に配置された止水栓部５と、電動弁１とを備えている。メータボックス３内の水道水の仮想流路方向中心４（図１および図２の一点鎖線で示す）において、止水栓部５が一次側（上流側）寄りに配置され、電動弁１は二次側（下流側）寄りに配置されている。また、止水栓部５と電動弁１との間に水道メータ６が配置される。
【００１８】
メータボックス３は、平面視して矩形の底壁３Ａと、底壁３Ａの四方から立設された側壁３Ｂとを備え、底壁３Ａおよび側壁３Ｂは一体的に形成されている。メータボックス３の上部は開放され、図２における、仮想流路方向中心４方向であるメータボックス３の長手方向Ｌ、仮想流路方向中心４と直交する水平方向であるメータボックス３の短手方向Ｓともに、下方ほど広げられている。
【００１９】
メータボックス３の上流側の側壁３Ｂに流入管７を挿通させる上流側開口８が形成されている。メータボックス３の下流側の側壁３Ｂに流出管９を挿通させる下流側開口１０が形成されている。上流側開口８は、不図示の一次側配管を接続するために、流入管７に比べて大径に形成されている。下流側開口１０は、二次側配管を接続するために、流出管９に比べて大径に形成されている。
【００２０】
流入管７、流出管９、止水栓部５、水道メータ６、および電動弁１は、メータボックス３の短手方向Ｓ中心に配置されている。また、流入管７、止水栓部５、水道メータ６、および弁箱１１の仮想流路方向中心４は略水平となるよう設定されている。止水栓部５は台座１２を介して底壁３Ａに支持され、水道メータ６は直接的に底壁３Ａに着座、あるいはわずかに底壁３Ａから浮くよう配置されている。弁箱１１の内部には、弁体１３によって開閉される給水路１４が形成されている。
【００２１】
流入管７と止水栓部５とは継手部１５を介して接続され、止水栓部５と水道メータ６とは継手部１６を介して接続され、水道メータ６と電動弁１とは継手部１７を介して接続され、電動弁１と流出管９とは継手部１８を介して接続されている。
【００２２】
ここで電動弁１の構成を説明する。電動弁１は、図８および図１１に示すように、給水配管に相当する弁箱１１と、弁箱１１に内装される弁体１３と、弁箱１１の外部にあって、弁体１３に連結された弁軸１９を介して弁体１３を弁箱１１内で開閉操作させる駆動機構部２０と、駆動機構部２０を駆動させるための、複数の電子部品を有した電子部品群２１とを備えている。なお、給水配管は水道管とも称され、本実施形態では、電動弁１はメータボックス３内の給水配管に設置される場合で説明する。
【００２３】
駆動機構部２０は第一のケース２２の内側にまとめられるよう収納され（組付けられ）て、駆動機構部２０と第一のケース２２とがユニットとされ、電子部品群２１は第一のケース２２とは別体の第二のケース２３の内側にまとめられるよう収納され（組付けられ）て、電子部品群２１と第二のケース２３とがユニットとされている。換言すれば、電子部品群２１が第二のケース２３を用いてユニットとされている。第一のケース２２が弁箱１１側に配置され、第二のケース２３は、第一のケース２２の上面に着脱自在に取付けられている。
【００２４】
図５〜図８に示すように、第一のケース２２における第一ケース本体２４は、平面視して矩形状の底壁２５と、底壁２５の四方から立設された側壁２６とを備えて上方を開放部２７とした直方体形状に形成されている。開放部２７は板状の蓋体２８で被覆されている。第一ケース本体２４と蓋体２８とはシール部材ｍ１を介して組付けられている。底壁２５は弁箱１１の上面１１ａに載置され、第一のケース２２は、第一のケース２２の内部から底壁２５および弁箱１１の上面１１ａに挿通するボルトＢ１によって、上面１１ａに着脱自在に取付けられている。底壁２５と上面１１ａとはシール部材ｍ２を介して取付けられている。図７に示すように、底壁２５には、弁軸１９を挿通する挿通穴２９が形成されている。
【００２５】
蓋体２８は矩形状に形成され、矩形状の受台板３０と、四辺から立設される支持枠３４を備える。図５に示すように、受台板３０には、後述する第二のケース２３の嵌合部３１が内嵌される被嵌合部３２が形成されている。被嵌合部３２は、蓋体２８の片側寄り（図５では右側寄り）に配置されている。被嵌合部３２は円筒状に形成され、蓋体２８の板面に対して下方および上方に突出するよう形成されている。被嵌合部３２の直下に、被駆動伝達部である従動傘歯車３３が配置されている。支持枠３４の外周面部には、シール部材ｍ３が嵌合されている。
【００２６】
図５〜図９を参照しつつ、駆動機構部２０の構成を説明する。駆動機構部２０は、従動傘歯車３３を有する歯車機構３５と、歯車機構３５に連結されたウオーム３６と、ウオーム３６に噛合するヘリカルギヤ３７と、ウオーム３６に連結されたクラッチ機構３８とを備える。
【００２７】
歯車機構３５は、従動傘歯車３３と、従動傘歯車３３とのギヤ比を変えるための複数の平歯車３９とを備える。従動傘歯車３３は、仮想流路方向中心４と直交する方向である短手方向Ｓに沿う方向の中心軸回りに回転するもので、軸部４０は平歯車とされている。この軸部４０に一つの平歯車３９が噛合するよう構成されている。
【００２８】
ウオーム３６は、短手方向Ｓを長手方向とする主軸４１に外嵌固定されている。ウオーム３６は、主軸４１の軸方向途中部分に配置されている。第一のケース２２の底壁２５の上面から複数本の支持柱４２が立設され、支持柱４２に上側を開放した断面コ字形のブラケット４３の底壁４３Ａが支持されている。主軸４１の軸方向両端部側が、ブラケット４３の縦壁４３Ｂに回転自在に支持されている。ヘリカルギヤ３７は弁軸１９回りに回動するもので、平面視して扇状に形成されている。
【００２９】
クラッチ機構３８は、主軸４１の先端側（歯車機構３５とは反対側の端部側）に連結されている。主軸４１において、クラッチ機構３８のさらに先端側には、手動操作ハンドル４４（図１０参照）が連結する、ハンドルシャフト４５が連結されている。ハンドルシャフト４５は、第一のケース２２の側壁２６に、短手方向Ｓに突出するよう形成された取付部４６に内嵌され、ハンドルシャフト４５の軸方向途中部には、シール部材ｍ４が外嵌されている。また、ハンドルシャフト４５には第一のケース２２の外部でハンドルシャフト４５を回転させ得る手動操作ハンドル４４が固定されている。そして、手動であっても、手動操作ハンドル４４を所定の回転方向に回転させることで、クラッチ機構３８を介して、弁体１３を開閉することができるよう構成されている。
【００３０】
図７に示すように、弁軸１９は上部が挿通穴２９に挿通され、挿通穴２９に挿通する弁軸１９の軸方向途中部分には、シール部材ｍ５が外嵌されている。なお、弁軸１９において、挿通穴２９に挿通して第一のケース２２の内部に挿入された部分は、段付面１９ａを介して上部が下部に比べて小径となるよう形成されている。ヘリカルギヤ３７の中心部は、段付面１９ａまで挿入されており、ヘリカルギヤ３７は、抜止め手段によって弁軸１９から抜止めされている。抜止め手段は、弁軸１９の上面とヘリカルギヤ３７の上面に亘るアーム状の押え部材４７と、押え部材４７を弁軸１９の上端面に固定させる取付ボルト４８とを備えている。取付ボルト４８が押え部材４７を挿通して、弁軸１９の上端面に螺合されている。
【００３１】
図６に示すように、押え部材４７は、主軸４１およびウオーム３６に接することなく水平面内（主軸４１の上側）で延長されて杆状に形成されている。押え部材４７は、ヘリカルギヤ３７とともにヘリカルギヤ３７の中心（弁軸１９の中心でもある）回りに、歯部３７Ａが形成された範囲内で回動可能に構成されている。さらに詳しくは、後述するように、直流電動機４９を駆動する時間内で、歯部３７Ａが形成された範囲内で回動可能に構成されている。なお、押え部材４７の先端部上面には、永久磁石Ｍが装着されている。
【００３２】
図９，１１，１２に示すように、第二のケース２３は、直方体形状に形成されている。第二のケース２３は、第一のケース２２の蓋体２８に着脱自在に取付けられる。第二のケース２３は平面視して矩形状の底壁２３Ａと、底壁２３Ａを上方から被覆する被覆体５０とを備えている。底壁２３Ａと被覆体５０とは、シール部材ｍ６を介して組付けられている。底壁２３Ａには、被嵌合部３２に内嵌する前記嵌合部３１が形成されている。嵌合部３１は円筒状に形成され、底壁２３Ａの壁面に対して下方へ向けて突出されている。嵌合部３１の外周面にはシール部材ｍ７が外嵌されている。嵌合部３１で囲繞される底壁２３Ａの中心には、後述する駆動伝達部である駆動傘歯車５１の、駆動軸５１Ａが挿通される挿通孔５２が形成されている。この駆動軸５１Ａは、上下方向に沿う軸である。
【００３３】
電子部品群２１は第二のケース２３に内装されており、電子部品として、直流電動機４９と、直流電動機４９に電力を供給するための二つの電池（外部から給電を受けない蓄電池）５５，５５と、所定の震度以上の地震を検知する地震検知器５３と、地震検知器からの震度信号の入力により電池５５，５５から直流電動機４９へ電力を供給するよう制御する機能を有する一組の制御基板（図示せず）とを備えている。制御基板は図示されてないが、例えば電池５５，５５と第二のケース２３の奥側壁との間にあって、電池５５，５５に沿って直立するよう配置されている。また、駆動伝達部は、駆動傘歯車５１と直流電動機４９とを備える。さらに、第二のケース２３には、永久磁石Ｍの磁力で反応する磁気センサとＬＥＤが内装されている。この磁気センサは、永久磁石Ｍと上下方向で対応すると、押え部材４７が回動したことを検出するものである。この検出により、弁体１３の開閉状態を報知すべく、制御基板の制御回路を介して、ＬＥＤに点灯、あるいは点滅信号が出力される。
【００３４】
これら電子部品のうち、直流電動機４９は、従動傘歯車３３の上方に配置されるといった規制は受けているものの、他の電子部品の配置については特に規制を受けない。本実施形態では、直流電動機４９、電池５５，５５（制御基板）、地震検知器５３の順に短手方向Ｓに並べて配置されている。しかし、電子部品の配置の順序や上下方向の配置位置などは、特に問わない。また、図１０に示すように、電子部品群２１に対する水密性を確保するために、第二のケース２３は、水密用カバー５６で上方から被覆されている。水密用カバー５６は下側が開放された箱状に形成されている。水密用カバー５６の四方の側壁５６Ｂは、蓋体２８の支持枠３４に嵌合されたシール部材ｍ３に対して外側から嵌合するよう構成されている。
【００３５】
図１１に示すように、水密用カバー５６は天壁５６Ａを備え、水密用カバー５６は、蓋体２８の支持枠３４に嵌合した状態では、天壁５６Ａの裏面が第二のケース２３の上面に当接するよう構成されている。また、水密用カバー５６は、不測に支持枠３４から容易に外れない（外されない）よう固定するための取付杆５７を備えている。取付杆５７は、水密用カバー５６の内側で第二のケース２３の外側を通って、第一のケース２２（例えば受台板３０）に螺合している。これにより、第二のケース２３は、水密用カバー５６により第一のケース２２に押えられるようにして装着されている。取付杆５７は、その頭部が回転被操作部５７Ａとされ、図１１の仮想線で示す手動操作ハンドル４４を工具として用いて回転操作される。回転被操作部５７Ａにおいて、天壁５６Ａを挿通する一部に、シール部材ｍ８が外嵌されている。
【００３６】
水密用カバー５６の天壁５６Ａに、回転被操作部５７Ａをその外周部で覆う覆壁６０が上方に突出するよう形成されている。常時的には、覆壁６０に、キャップ６１が被せられて回転被操作部５７Ａが隠蔽されている。逆に、取付杆５７を取外す際には、キャップ６１を取外し、手動操作ハンドル４４をハンドルシャフト４５から取外して工具として用い、取付杆５７を回転させて取付杆５７を取外す。
【００３７】
上記構成において、図１および図２に示すように、メータボックス３内に電動弁１を配置した状態における電動弁１の動作について説明する。地震が発生する前の通常時では、図３および図１３に示すように、弁体１３は、弁箱１１の内部の給水路１４を開放するよう開いている。これは、駆動機構部２０においては、図６に示す状態である。すなわち、駆動機構部２０においては、ヘリカルギヤ３７は、弁軸１９を中心として時計方向側に回転した状態にあり、これととともに押え部材４７も弁軸１９を中心として時計方向側に回転した状態にある。換言すれば、ヘリカルギヤ３７が、弁軸１９を中心として時計方向側に回転した状態が、弁体１３が給水路１４を開放するよう開いている開状態である。これにより、各戸に給水がなされる。
【００３８】
本実施形態の電動弁１では、弁軸１９と第一のケース２２の底壁２５との嵌合部、第一ケース本体２４と蓋体２８との組付け部分、支持枠３４と水密用カバー５６との嵌合部分、水密用カバー５６の天壁５６Ａと取付杆５７との嵌合部分、第二のケース２３の底壁２３Ａと被覆体５０との組付け部分には、それぞれシール部材ｍ１〜ｍ８が設けられている。このように、異なる部材どうしを、シール部材を介して取付けているため、仮にメータボックス３内に雨水等が侵入してきたとしても、駆動機構部２０、電子部品群２１に対する水の侵入が抑えられる。
【００３９】
所定の震度以上の地震が発生した場合、これを地震検知器５３が検知して、震度信号が制御基板の制御回路に出力されると、制御回路は、地震検知器５３からの震度信号の入力により電池５５，５５から直流電動機４９へ電力を供給するよう制御する。そうすると、直流電動機４９が駆動し、駆動傘歯車５１がその軸心回りに回転をし、駆動傘歯車５１に噛合している従動傘歯車３３が軸部４０回りに回転し、軸部４０に噛合している平歯車３９が、その軸心回りに回転し、平歯車３９に連結されている主軸４１、および主軸４１に外嵌しているウオーム３６がその軸心回りに回転する。そうすると、ウオーム３６に噛合しているヘリカルギヤ３７が回転し、ヘリカルギヤ３７に連結されている弁軸１９がその軸心回りに回動し、弁体１３が弁箱１１の内部の給水路１４を遮断するよう閉じる（図１４参照）。直流電動機４９の駆動は、例えばタイマー制御されており、所定時間だけ駆動を継続すると、弁体１３が給水路１４を閉じるよう設定されている。
【００４０】
弁軸１９がその軸心回りに回動すると、弁軸１９に固定されている押え部材４７が弁軸１９の軸心回りに反時計方向に回動し、ＬＥＤが点灯、あるいは点滅するなどして、給水路１４での通水が遮断されている状態を報知する。この場合、ＬＥＤの報知は、磁気センサによって検知される。
【００４１】
この種の電動弁１では、電子部品を定期的に交換する要請がある。本実施形態の電動弁１では、特に、電子部品群２１をカートリッジとして交換することができる。すなわち、水密用カバー５６の覆壁６０からキャップ６１を外し、回転被操作部５７Ａに手動操作ハンドル４４（工具）を装着して取付杆５７を回転させることで、取付杆５７を取外す。このようにしてから水密用カバー５６を第一のケース２２から取外す。そうすると、第二のケース２３が露出するので、第二のケース２３を把持して引き上げるようにして、被嵌合部３２から嵌合部３１を外す。そうすると、被駆動伝達部である従動傘歯車３３と駆動伝達部である駆動傘歯車５１との噛合が外れ、電子部品群２１を、第二のケース２３ごと駆動機構部２０から取外すことができる。
【００４２】
このように、本実施形態の電動弁１によれば、複数の電子部品がまとめられて電子部品群２１という形態でユニットとされており、電子部品群２１と駆動機構部２０とは、駆動伝達部を介して連結されているのみであるから、駆動機構部２０に対し電子部品群２１をまとめて取り扱うことができ、駆動機構部２０に対する電子部品群２１の取外しを、極めて容易に行うことができる。
【００４３】
そして、新たな電子部品群２１を駆動機構部２０に装着するには、電子部品群２１のうち駆動傘歯車５１を、従動傘歯車３３に噛合するように、電子部品群２１を第二のケース２３ごと第一のケース２２（駆動機構部２０）に装着すればよい。
【００４４】
さらに本実施形態では、駆動機構部２０を弁箱１１から外すことも容易である。具体的に図７を参照して説明すると、上記のようにして電子部品群２１を駆動機構部２０から取外した後に、第一のケース２２の蓋体２８を取外して第一のケース２２を開放すると、取付ボルト４８が露出するので、この取付ボルト４８、また、ボルトＢ１を取外して、第一のケース２２を上方へ引き上げる。そうすると、ヘリカルギヤ３７、底壁２５（挿通穴２９）から弁軸１９が引き抜かれて、駆動機構部２０を第一のケース２２ごと、弁箱１１から取外すことができる。
【００４５】
このようにして、例えば、駆動機構部２０のメンテナンスを行うことができる。あるいは、駆動機構部２０を交換する場合では、第一のケース２２の内部から底壁２５および弁箱１１の上面１１ａにボルトＢ１を挿通させて締め付け、第一のケース２２の底壁２５の挿通穴２９に弁軸１９を挿通し、弁軸１９の上端部側をヘリカルギヤ３７の中心部に挿通し、押え部材４７を弁軸１９の上端面に載せ、取付ボルト４８により弁軸１９、ヘリカルギヤ３７、および押え部材４７を一体とすることで、弁箱１１の上面に駆動機構部２０を第一のケース２２ごと取付けることができる。
【００４６】
このように、本実施形態の電動弁１によれば、駆動機構部２０がユニットとされており、駆動機構部２０と弁軸１９とは取付ボルト４８によって連結されているのみであるから、弁軸１９に対する駆動機構部２０の着脱を、極めて容易に行うことができる。
【００４７】
本発明の電動弁は、上記実施形態に限定されるものではなく、本発明の要旨を逸脱しない範囲で種々の変更が可能である。本発明の電動弁では、電子部品群は、駆動機構部の被駆動伝達部に駆動力を伝達するための駆動伝達部を備えるとともに、電子部品がまとめられてこれらが一体に扱われるよう構成され、被駆動伝達部と駆動伝達部とが着脱自在とされている。そして上記実施形態では、駆動伝達部として駆動傘歯車５１、被駆動伝達部として従動傘歯車３３の場合を例に挙げた。すなわち、電子部品群２１から駆動機構部２０へ動力を伝達する手段として、傘歯車を用いている。しかしながら本発明はこの例に限定されるものではなく、駆動機構部の別構成として、電子部品群のうち直流電動機の駆動軸の縦軸回りの回転を、弁軸に直接的に連結するような連結機構を備えていてもよく、直流電動機の駆動軸と連結機構を着脱自在とすることで、電子部品群を駆動機構部に対して着脱自在とすることも可能である。
【００４８】
上記実施形態では、電子部品群２１において、全ての電子部品を第二のケース２３にユニットとして構成した。しかしながら、複数の電子部品のうち、例えば、電池５５，５５と制御基板のみをユニットとしたり、電池５５，５５と地震検知器のみをユニットとしたりするなど、必ずしも全ての電子部品をユニットとする必要はなく、少なくとも二つの電子部品をユニットとし、このようなユニットごとのケースを準備し、ユニットをケースごとに収納する構成も考えられる。電池５５，５５は外部から給電を受けない蓄電池としたが、給電が受けられるタイプであってもよく、例えば電気二重層キャパシタの原理を利用した蓄電池であってもよい。また、電子部品としては上記実施形態に限定されない。
【００４９】
上記実施形態では、電子部品群２１は、水の侵入抑制のためと、複数の電子部品を電子部品群２１として一体に扱うために、第二のケース２３に収納される形態を説明した。しかしながら、本発明では、必ずしも電子部品群２１がケースに収納される形態のみに限定されるものではない。例えば、電子部品を底壁２３Ａに組付け、電子部品を樹脂モールドすることで、電子部品と底壁２３Ａとをユニットとすることも考えられる。
【００５０】
上記各実施形態では、電動弁を緊急遮断弁として説明した。しかしながら、電動弁は、緊急遮断弁のみ限らず、電動で弁体を開閉させるのであれば、緊急遮断弁として用いるのには限定されない。本発明の電動弁は、例えば、止水用弁（交換やメンテナンスの為の一時的なものから、停水や廃栓のような継続的な目的のものを含む）、あるいは止水栓、仕切弁、ゲートバルブ、逆流防止弁等にも適用できる。
【００５１】
上記各実施形態では、電動弁１をメータボックス３内の給水配管に配置した場合を説明した。しかしながら、電動弁１は、配水管から各戸の蛇口に至る間の給水配管（水道管）の適宜の場所に設置することが可能である。例えば電動弁１はマンション（あるいは、工場、病院等）に設備されたパイプシャフトに対して設置することも可能である。パイプシャフトは、左右横方向に配置されていたり、上下方向に配置されていたりする。
【００５２】
このようなパイプシャフトに電動弁１を適用させるには、上記実施形態と同様に、電動弁１の長手方向をパイプシャフトに対して鉛直面内で直交する方向となるよう、電動弁１を配置し、電子部品群２１を第二のケース２３ごと手前に引くようにして駆動機構部２０から取外したり、電子部品群２１を手前から第二のケース２３ごと駆動機構部２０に装着したりできるよう、パイプシャフトに電動弁１を設置する。このようにすることにより、駆動機構部２０を第一のケース２２ごと手前に引くようにしてパイプシャフトから取外したり、駆動機構部２０を第一のケース２２ごと、手前からパイプシャフトに設置したりできる。
【符号の説明】
【００５３】
１…電動弁、２…給水配管構造、３…メータボックス、４…仮想流路方向中心、５…止水栓部、６…水道メータ、１１…弁箱、１１ａ…上面、１３…弁体、１４…給水路、１９…弁軸、１９ａ…段付面、２０…駆動機構部、２１…電子部品群、２２…第一のケース、２３…第二のケース、２４…第一ケース本体、２８…蓋体、３０…受台板、３１…嵌合部、３２…被嵌合部、３３…従動傘歯車、３５…歯車機構、４０…軸部、４１…主軸、４７…押え部材、４９…直流電動機、５０…被覆体、５１…駆動傘歯車、５１Ａ…駆動軸、５２…挿通孔、５３…地震検知器、５５，５５…電池、５６…水密用カバー、５７…取付杆
【図１】
2015127556.tif 000003
【図２】
2015127556.tif 000004
【図３】
2015127556.tif 000005
【図４】
2015127556.tif 000006
【図５】
2015127556.tif 000007
【図６】
2015127556.tif 000008
【図７】
2015127556.tif 000009
【図８】
2015127556.tif 000010
【図９】
2015127556.tif 000011
【図１０】
2015127556.tif 000012
【図１１】
2015127556.tif 000013
【図１２】
2015127556.tif 000014
【図１３】
2015127556.tif 000015
【図１４】
2015127556.tif 000016